(57)【要約】【課題】通風ダクトから吹き出される空気流が養鶏ケージ内の鶏に直接吹きかかることなく、それでいながら、鶏糞の乾燥や養鶏ケージ内の換気が効率よく行える養鶏ケージユニットにおける通風装置を提供する。【解決手段】養鶏ケージが上下方向に配管された通風ダクトを挟んで左右に配設されると共に、これら左右の養鶏ケージが１室とされて互いに行き来可能とされ、これら養鶏ケージの下方には糞受部材が配設された養鶏ケージユニットにおける通風装置であって、１室となった左右の養鶏ケージが上下に複数段配設されると共に、横方向にも複数縦列状に配設され、通風ダクトは、上下に複数段配設された左右の養鶏ケージ間を上下に連続して延びて、この通風ダクトの途中には、各段の養鶏ケージに対応して吹き出し口が設けられると共に、この吹き出し口が通風ダクトの周囲に複数設けられて、通風ダクトからの風が通風ダクトの周囲から外方に向けてほぼ放射状に吹き出されるようにした。【選択図】図２
2007181434.tif 000002
【特許請求の範囲】
【請求項１】
通風ダクトが養鶏ケージ内を上下方向に配管され、養鶏ケージの下方には糞回収部材が配設される一方、通風ダクトには、養鶏ケージと糞回収部材との間において、糞回収部材に向けて風を送り出すための吹き出し口が設けられていることを特徴とする養鶏ケージユニットにおける通風装置。
【請求項２】
養鶏ケージが上下に複数段配設されると共に、横方向にも複数縦列状に配設され、通風ダクトは、上下に複数段配設された左右の養鶏ケージ間を上下に連続して延びて、この通風ダクトの途中には、各段の養鶏ケージに対応して吹き出し口が設けられていることを特徴とする請求項１に記載の養鶏ケージユニットにおける通風装置。
【請求項３】
吹き出し口が通風ダクトの周囲に複数設けられて、通風ダクトからの風が通風ダクトの周囲から外方に向けてほぼ放射状に吹き出されるようにしていることを特徴とする請求項１または２に記載の養鶏ケージユニットにおける通風装置。
【発明の詳細な説明】
【技術分野】
【０００１】
本発明は、養鶏舎内に配設する養鶏ケージユニットにおける通風装置に関するものである。
【背景技術】
【０００２】
一般に養鶏舎内に配設される養鶏ケージユニットは、例えば金属線材で全体が隙間のあるように形成された養鶏ケージを、上下方向に複数段配設すると共に横方向にも多数並設しており、以上の養鶏ケージユニットでは、養鶏舎内を衛生的に保つと同時に鶏糞をある程度乾燥させるために、養鶏舎に設置する送風装置により、養鶏舎内に風を送ると同時に換気を行なっている。
【０００３】
具体的には、図６に示すように、左右一対の養鶏ケージB１・B２を上下方向に複数段配設すると共に横方向にも多数縦列状に配設すると共に、養鶏ケージB１・B２の背面間に隙間を設けて、この隙間を上下方向に伸びる通風路とする一方、上から２段目以下の各養鶏ケージB１・B２の下方でこれら養鶏ケージB１・B２の下の養鶏ケージB１・B２の天井よりも上方部分には、通風路Ａ側に向かって下方に傾斜する糞受体Ｃを設け、また最下段の養鶏ケージB１・B２の下方にベルトコンベアＤを配設している。
【０００４】
そして送風機Ｅによる空気流を通風路Ａにより下向きの空気流となして各糞受体Ｃの表面に吹きつけて養鶏ケージB１・B２外へ流通させると共に、空気流により乾燥した各糞受体Ｃ上の鶏糞を通風路Ａを介してベルトコンベアＤ上に落下させると共にベルトコンベアＤで回収するようにしている。（特許文献１参照）
ところで、本願発明者は、養鶏舎内において有精卵を産ませるために、通風ダクトＡを挟んでそれぞれ独立していた左右の養鶏ケージB１・B２を横方向に広くすると共に、これら左右の養鶏ケージB１・B２を連結してその室内を一つにし、この一つとなった広い室内に雄と雌の鶏を複数羽収容するようにした養鶏ケージユニットＣを開発したのであるが、この開発の養鶏ケージユニットにおいて、通風ダクトを前記した公報に示す構造のものとすると、通風ダクトから吹き出される空気が養鶏ケージ内の鶏に直接吹きかかることとなり、そのため、ケージ内の鶏にストレスを与える不具合が考えられる。
【０００５】
また従来では、例えば図７に概略的に示すように、養鶏ケージユニットＣの長手方向に延びる通風ダクトＥを養鶏ケージB１・B２の下部に配置して、送風機からの風を通風ダクトＥを介して各養鶏ケージB１・B２の下方に配置した糞受部材Ｆに向けて送り込むようにしたものも提案されているが、以上の構造のものでは、養鶏ケージユニットＣの長手方向に延びる通風ダクトＥが非常に長くなるため、それだけ送風機に大きな駆動力が必要となって、全体としてランニングコストが高くなる不具合もあるし、また通風ダクトＥが長くなることから、例えばこの通風ダクトＥの上流側と下流側とでは、通風ダクトＥの吹き出し口から吹き出される空気量が異なつて、例えば鶏糞の乾燥が円滑に行なえなくなるなどの問題もある。
【特許文献１】特開平３−２０１９２２
【発明の開示】
【発明が解決しようとする課題】
【０００６】
本発明は以上の実情に鑑みて開発したものであって、第１の目的とするところは、通風ダクトから吹き出される空気流が養鶏ケージ内の鶏に直接吹きかかることなく、それでいながら、鶏糞の乾燥や養鶏ケージ内の換気が効率よく行える養鶏ケージユニットにおける通風装置を提供することにあり、また第２の目的とするところは、送風機の動力が小さくても糞の乾燥などが効率よく行なえて、全体としてランニングコストを低くすることが出来る養鶏ケージユニットにおける通風装置を提供することにある。
【課題を解決するための手段】
【０００７】
以上の目的を達成するため、請求項１に記載の発明は、通風ダクトが養鶏ケージ内を上下方向に配管され、養鶏ケージの下方には糞回収部材が配設される一方、通風ダクトには、養鶏ケージと糞回収部材との間において、糞回収部材に向けて風を送り出すための吹き出し口が設けられていることを特徴とするものである。
【０００８】
また請求項２に記載の発明は、請求項１に記載の養鶏ケージユニットにおける通風装置において、養鶏ケージが上下に複数段配設されると共に、横方向にも複数縦列状に配設され、通風ダクトは、上下に複数段配設された養鶏ケージ内を上下に連続して延びて、この通風ダクトの途中には、各段の養鶏ケージに対応して吹き出し口が設けられていることを特徴とするものである。
【０００９】
更に請求項３に記載の発明は、請求項１または２に記載の養鶏ケージユニットにおける通風装置において、吹き出し口が通風ダクトの周囲に複数設けられて、通風ダクトからの風が通風ダクトの周囲から外方に向けてほぼ放射状に吹き出されるようにしていることを特徴とするものである。
【発明の効果】
【００１０】
請求項１に記載の発明によれば、通風ダクトを介して送られてくる風が養鶏ケージと糞回収部材との間のスペースにおいて糞回収部材に向けて直接送り出されるので、送風機の動力が小さくても糞受体上に堆積する鶏糞を効率よく乾燥して回収することが出来て、全体として通風装置の駆動に伴うランニングコストも一層低減することが出来るし、しかも養鶏ケージと糞回収部材との間のスペースに吹き出される風の一部は養鶏ケージ内に作用するので、養鶏ケージ内の換気も同時に行なうことが出来る。
【００１１】
また通風ダクトを介して送られてくる風は、養鶏ケージ内に直接吹き出すようなことがないので、糞受体上に堆積する鶏糞を効率よく乾燥することが出来ながら、養鶏ケージ内に入れられている鶏に風がダイレクトに吹きかかるようなことがなく、従って、鶏が風によるストレスをうけるのを抑制することが出来る。
【００１２】
請求項２に記載の養鶏ケージユニットによれば、請求項１に記載の発明の効果に加え、上下方向に配設された通風ダクトにより、上下に複数段配設された養鶏ケージに対応するいずれの糞回収部材上の鶏糞をも効率よく乾燥させることが出来ながら、各段の養鶏ケージ内に入れられている鶏に風がダイレクトに吹きかかるのも抑制することが出来るし、また通風ダクトの上部と下部とで吹き出し口から吹き出される空気量の差異も軽微であるし、更には、送風機から通風ダクトの各吹き出し口までの距離も短くなって、通風ダクト内での圧力損失も小さく出来る。
【００１３】
請求項３に記載の養鶏ケージユニットによれば、請求項１または２に記載の発明の効果に加え、通風ダクトの通風口から風が通風ダクトの周囲外方に向けてほぼ放射状に吹き出されるので、糞受体上の鶏糞をより一層効率よく乾燥することが出来る。
【発明を実施するための最良の形態】
【００１４】
以下、本発明にかかる養鶏ケージユニットを図１〜図５に基づいて説明する。
【００１５】
図１は本発明にかかる養鶏ケージユニットの概略説明図、図２はその要部を拡大して示す説明図、図３は同じくその要部を一部切り欠いて示す概略平面図、図４は通風ダクトの要部の斜視図、図５は本発明にかかる養鶏ケージユニットを平面から見た概略説明図である。
【００１６】
図１に示すように、養鶏舎Ａ内に複数基並設されるこの養鶏ケージユニット１は、一対の左右養鶏ケージ２ａ・２ｂが上下方向に複数段(図１に示すものでは６段)配設されると共に養鶏ケージユニット１の長手方向にも多数並設されたものであって、この養鶏ケージユニット１の全体は、幅が狭くて縦列方向に細長い直方体形状をなしており、また前記した2個一対の左右養鶏ケージ２ａ・２ｂは、上下方向に配管された通風ダクト３を挟んで左右対称に配置されている。
【００１７】
通風ダクト３は、養鶏ケージユニット１の横方向に長くした断面長方形に形成されている。この通風ダクト３は、養鶏ケージユニット１の上端からほぼ下端まで連続して延び、その上端は、養鶏ケージユニット１の上方において、この養鶏ケージユニット１に沿って配設された風洞体４に連通しており、風洞体４内の一端に組み込まれた送風機４０の駆動により、風洞体４を介して通風ダクト３に空気流(風)が送り込まれるようにしている。
【００１８】
そして本発明にかかる養鶏ケージユニット１では、細い金属線材によって格子状に組まれた各養鶏ケージ２ａ・２ｂの長手方向の長さを従来よりも長くすると共に、通風ダクト３を挟んで対向するこれら左右の養鶏ケージ２ａ・２ｂ間の仕切りを取り除いて、左右の養鶏ケージ２ａ・２ｂを互いに行き来可能とすることで、これら左右の養鶏ケージ２ａ・２ｂが一つの養鶏ケージとなっている。
【００１９】
また通風ダクトは、図５に概略的に示すように、１室となっている左右養鶏ケージ２ａ・２ｂ間における長手方向の中央と、左右養鶏ケージ２ａ・２ｂと長手方向に隣接する一方の左右養鶏ケージ２ａ・２ｂとの境界近くの二箇所にそれぞれ配置されている。
【００２０】
また上下の養鶏ケージ２ａまたは２ｂは、適当に間隔があけられて配設され、各養鶏ケージ２ａ・２ｂの下方には、ベルトコンベアのコンベアベルト５０から構成される糞回収部材５が配設されている。
【００２１】
そして、通風ダクト３の途中には、上下各段の左右養鶏ケージ２ａ・２ｂと糞回収部材５との間のスペースにおいて糞回収部材５の表面近くで且つこの表面に対してほぼ平行に風(空気流)を送り出すための吹き出し口３０が設けられている。
【００２２】
図に示す実施形態の吹き出し口３０は、図３に示すように、通風ダクト３からコンベアベルト５０の搬送方向とほぼ直交する方向に風を吹き出させるための第１吹き出し口３１と、通風ダクト３からコンベアベルト５０の搬送方向に対して斜めに風を吹き出させるための第２吹き出し口３２とが設けられて、通風ダクト３の外周から外方に向けてほぼ放射状に風が吹き出すように構成されており、また第２吹き出し口３２には、風の吹き出しを所定方向に導くためのガイド板３３が設けられている。
【００２３】
尚、通風ダクト３の下端は、最下段の左右養鶏ケージ２ａ・２ｂと糞回収部材５との間のスペースにおいて下方に向けて開口させて、この開口を吹き出し口３０としている。
【００２４】
また各養鶏ケージ２ａ・２ｂの前面下部には、樋状の給餌受体２１が養鶏ケージ２ａ・２ｂの縦列方向に沿って設けられており、この給餌受体２１の下方には、養鶏ケージ２ａ・２ｂの下面から転がり出る卵を受けるための卵受体２２が設けられている。
【００２５】
以上の構成からなる養鶏ケージユニット１では、１室となっている各左右養鶏ケージ２ａ・２ｂ内に数匹の雄の鶏と多数の雌の鶏を収容して、有精卵を産ませるのである。
【００２６】
そして以上の養鶏ケージユニット１では、送風機４０の駆動に伴い、風洞体４を介して通風ダクト３に風が送り込まれると共に、この通風ダクト３に送り込まれた風は、各段の左右養鶏ケージ２ａ・２ｂの下方に設けられた第１、第２吹き出し口３１・３２から各段の左右養鶏ケージ２ａ・２ｂと糞回収部材５との間のスペースにおいて糞回収部材５の表面に対してほぼ水平方向に風が送り出されて、養鶏ケージ２ａ・２ｂ内に直接吹き出すようなことがないのである。
【００２７】
具体的には、図３に示すように、第１吹き出し口３１からは、コンベアベルト５０の搬送方向とほぼ直交する方向に風が吹き出し、また第２吹き出し口３２からは、ガイド板３３の案内により、コンベアベルト５０の搬送方向に対して斜めに風が吹き出すので、全体として、通風ダクト３の周囲外方に向けてほぼ放射状に吹き出して、コンベアベルト５０上に堆積する鶏糞が効率よく乾燥される一方、風が養鶏ケージ２ａ・２ｂ内に入れられている鶏にダイレクトに吹きかかるようなことがないので、鶏が風によるストレスを受けることがないのである。
【００２８】
しかも上下方向に配設された通風ダクト３により、風が損失なく養鶏ケージと糞回収部材５との間のスペースにおいて糞回収部材５に向けてダイレクトに送り出されるので、送風機の動力が小さくても糞回収部材５上の鶏糞を効率よく乾燥して回収することが出来て、全体として通風装置の駆動に伴うランニングコストも一層低減することが出来る。また養鶏ケージと糞回収部材５との間のスペースに吹き出される風の一部は養鶏ケージ２ａ・２ｂ内に作用するので、養鶏ケージ２ａ・２ｂ内の換気も同時に行なうことが出来る。
【００２９】
また通風ダクト３の上部と下部とで吹き出し口３１・３２から吹き出される空気量の差異も軽微であるし、更には、送風機から通風ダクトの各吹き出し口３１・３２までの距離も短いので、通風ダクト３内での圧力損失も小さく出来る。
【００３０】
また更に各段の左右養鶏ケージ２ａ・２ｂと糞回収部材５との間のスペースに吹き出される風の一部が弱まりながら左右養鶏ケージ２ａ・２ｂ内に回り込むので、これら養鶏ケージ内の換気も同時に行なわれるのである。
【００３１】
以上の実施形態では、１室となった一対の左右養鶏ケージ２ａ・２ｂを上下方向に６段配設すると共に横方向にも多数並設したが、これに限定されるものではなく、例えば一対の左右養鶏ケージ２ａ・２ｂを上下方向に４段配設したものとしてもよい。
【００３２】
また以上の実施形態では、細い金属線材によって格子状に組まれた各養鶏ケージ２ａ・２ｂの長手方向の長さを従来よりも長くすると共に、通風ダクト３を挟んで対向するこれら左右の養鶏ケージ２ａ・２ｂ間の仕切りを取り除いて、左右の養鶏ケージ２ａ・２ｂを互いに行き来可能としたが、各養鶏ケージ２ａ・２ｂの長手方向の長さを従来のように短くした養鶏ケージユニットに本発明を適用してもよいし、あるいは左右の養鶏ケージ２ａ・２ｂ間に仕切りを設けてもよい。
【００３３】
また以上の実施形態では、通風ダクト３を断面長方形の角筒に形成したが、これに限定されるものではなく、例えば円筒状に形成してもよい。
【図面の簡単な説明】
【００３４】
【図１】養鶏舎内に並設された本発明にかかる養鶏ケージユニットの概略説明図。
【図２】同、要部を拡大して示す説明図。
【図３】同、要部を一部切り欠いて平面から見た概略説明図。
【図４】通風ダクトの要部の斜視図。
【図５】本発明にかかる養鶏ケージユニットを平面から見た概略説明図。
【図６】従来の養鶏ケージユニットの概略説明図。
【図７】従来の養鶏ケージユニットの別の例を示す概略説明図。
【符号の説明】
【００３５】
１        養鶏ケージユニット
２ａ      養鶏ケージ
２ｂ      養鶏ケージ
３        通風ダクト
３０      吹き出し口
３１      第１吹き出し口
３２      第２吹き出し口
３３      ガイド板
４        風洞体
４０      送風機
５        糞回収部材
５０      コンベアベルト
【図１】
2007181434.tif 000003
【図２】
2007181434.tif 000004
【図３】
2007181434.tif 000005
【図４】
2007181434.tif 000006
【図５】
2007181434.tif 000007
【図６】
2007181434.tif 000008
【図７】
2007181434.tif 000009